(57)【要約】【課題】操作のし易さを確保した上で、回路基板の被水を抑制する車両用媒体読み取り装置を提供する。【解決手段】車両用媒体読み取り装置は、ケース１と、ケースの前壁１３に露出するよう設けられ、記憶媒体をケース１の内部へと挿入させる挿入口２０と、挿入口２０の上部に設けられ、液体をケース１の内部へと侵入させる侵入口２２と、挿入口２０から挿入された記憶媒体とケース１の天井壁１５との間に配置され、記憶媒体と電気的に接続される回路基板２と、侵入口２２の下部に配置され、回路基板２の前壁１３側の縁２６と侵入口２２との間に、縦壁部２４およびケース１の側壁に向かって液体を流す傾斜部２５を有する案内部２３と、ケース１の内部の液体をケース１の外部へと排出する液体排出部１２１とを備える。【選択図】図１
2018184143.tif 000002
【特許請求の範囲】
【請求項１】
ケース（１）と、
前記ケースの前壁（１３）に露出するよう設けられ、記憶媒体（１０）を前記ケースの内部へと挿入させる挿入口（２０）と、
前記挿入口の上部に設けられ、液体を前記内部へと侵入させる侵入口（２２）と、
前記挿入口から挿入された前記記憶媒体と前記ケースの天井壁（１５）との間に配置され、前記記憶媒体と電気的に接続される回路基板（２）と、
前記侵入口の下部に配置され、前記回路基板の前記前壁側の縁（２６）と前記侵入口との間に、縦壁部（２４）および前記ケースの側壁に向かって前記液体を流す傾斜部（２５）を有する案内部（２３）と、
前記内部の前記液体を前記ケースの外部へと排出する液体排出部（１２１）とを備える車両用媒体読み取り装置。
【請求項２】
前記案内部は、
前記回路基板上に搭載された光源からの光を前記前壁へと透過させるために前記回路基板から前記前壁にわたって配置されたレンズ（５）と、
前記レンズと結合されており、前記前壁から操作可能な操作部（６）とを有する請求項１に記載の車両用媒体読み取り装置。
【請求項３】
前記挿入口に挿入された前記記憶媒体を排出するための記憶媒体排出ボタン（８）であって、前記傾斜部から左右方向へ延ばした延長線と交差する交差部（８３）を提供するように、前記前壁に露出するボタン操作部（８１）から前記内部へ向けて延びており、前記交差部において上から下へ貫通している記憶媒体排出ボタン（８）をさらに有する請求項２に記載の車両用媒体読み取り装置。
【請求項４】
前記記憶媒体排出ボタンは、前記交差部を区画する排出用縦壁部（８４ａ、８４ｂ、８４ｃ）を有する請求項３に記載の車両用媒体読み取り装置。
【請求項５】
前記操作部は、
前記前壁に露出する入力部（６２）と、
前記回路基板と前記天井壁との間に設けられ、前記入力部に対応して稼働する操作稼働部（６３）とを有し、
前記縦壁部が、前記入力部から前後方向へ延ばした延長線と交差する位置まで延びている請求項２または請求項４のいずれか一項に記載の車両用媒体読み取り装置。
【請求項６】
前記操作部は、前記案内部の端部（２３ａ、２３ｂ）の延長上に位置する空洞（２７ａ、２７ｂ）を有する請求項５に記載の車両用媒体読み取り装置。
【請求項７】
前記前壁は、前記内部に固定され、前記挿入口の内側に位置付けられた可撓性のシート（９）を有することを特徴とする請求項１から請求項６のいずれか一項に記載の車両用媒体読み取り装置。
【請求項８】
前記前壁は、前記記憶媒体の一部を露出させるための凹部（２１）を有し、
前記シートは、前記凹部に対応して形成されたスリット（９２）を有する請求項７に記載の車両用媒体読み取り装置。
【請求項９】
前記ケースは、前記シートの下端に設けられ、前記液体を前記内部へと侵入させるシート下侵入口（９５）を有する請求項７または請求項８に記載の車両用媒体読み取り装置。
【請求項１０】
車両用媒体読み取り装置において、
ケース（１）の内部の液体を前記ケースの外部へと排出する液体排出部（１２１）と、
前記ケースの前壁（１３）から操作可能な操作部（６）とを備え、
前記操作部は、
記憶媒体（１０）を前記ケースの内部へと挿入させる挿入口と回路基板（２）の前記前壁側の縁（２６）との間に配置された縦壁部（２４）と、
前記前壁に設けられた開口から露出する入力部（６２）と、
前記回路基板と前記ケースの天井壁との間に設けられ、前記入力部に対応して稼働する操作稼働部（６３）とを有し、
前記縦壁部が、前記入力部から前後方向へ延ばした延長線と交差する位置まで延びている車両用媒体読み取り装置。
【請求項１１】
前記操作部は、前記入力部と前記縦壁部との間に位置する空洞（２７ａ、２７ｂ）を有する請求項１０に記載の車両用媒体読み取り装置。
【請求項１２】
前記液体排出部は、
前記ケースの底壁（１８）に設けられ、前記内部に侵入した前記液体を前記外部へと排水する前方排出部（１２１ａ）と、
前記前方排出部よりも後方、かつ、前記底壁に設けられ、前記内部に侵入した前記液体を前記外部へと排水する後方排出部（１２１ｂ）とを有する請求項１から請求項１１のいずれか一項に記載の車両用媒体読み取り装置。
【発明の詳細な説明】
【技術分野】
【０００１】
この明細書における開示は、車両用媒体読み取り装置に関する。
【背景技術】
【０００２】
特許文献１および特許文献２は、ＥＴＣ（登録商標）車載器を開示している。従来技術として列挙された先行技術文献の記載内容は、この明細書における技術的要素の説明として、参照により援用される。
【先行技術文献】
【特許文献】
【０００３】
【特許文献１】特開２０１２−２２８９０４号公報
【特許文献２】特開２０１１−１７０５４９号公報
【発明の概要】
【発明が解決しようとする課題】
【０００４】
特許文献１は、ＥＴＣ車載器の前壁側から水が侵入することで回路基板が被水するおそれがあった。
【０００５】
また、特許文献２は、ＥＴＣ車載器の前壁をカバーで覆うから、操作しにくくなるという問題があった。
【０００６】
上述の観点において、または言及されていない他の観点において、車両用媒体読み取り装置にはさらなる改良が求められている。
【０００７】
開示されるひとつの目的は、操作のし易さを確保した上で、回路基板の被水を抑制する車両用媒体読み取り装置を提案することにある。
【課題を解決するための手段】
【０００８】
ここに開示された車両用媒体読み取り装置は、ケース（１）と、ケースの前壁（１３）に露出するよう設けられ、記憶媒体（１０）をケースの内部へと挿入させる挿入口（２０）と、挿入口の上部に設けられ、液体を内部へと侵入させる侵入口（２２）と、挿入口から挿入された記憶媒体とケースの天井壁（１５）との間に配置され、記憶媒体と電気的に接続される回路基板（２）と、侵入口の下部に配置され、回路基板の前壁側の縁（２６）と侵入口との間に、縦壁部（２４）およびケースの側壁に向かって液体を流す傾斜部（２５）を有する案内部（２３）と、内部の液体をケースの外部へと排出する液体排出部（１２１）とを備える。
【０００９】
ここに開示された車両用媒体読み取り装置によると、挿入口の上部に液体をケースの内部へと侵入させる侵入口を設けることで、ケースの天井壁から挿入口へと伝わり、挿入口から侵入する液体を減らすことができる。挿入口から侵入する液体を減らすことで、挿入口から侵入する液体によって回路基板が被水することを抑制する。
【００１０】
侵入口の下部に配置され、回路基板の前壁側の縁と侵入口との間に、縦壁部とケースの側壁に向かって液体を流す傾斜部とを有する案内部が設けられる。侵入口から侵入した液体が縦壁部により回路基板側に侵入することを防ぐこととなる。
【００１１】
傾斜部は、ケースの側壁に向かう方向に傾斜している。侵入口から侵入した液体は、縦壁部と傾斜部とにより、回路基板にかかることを回避しながらケースの側壁に向かって流される。侵入口から侵入した液体は、液体排出部によってケースの外部へと排出される。
【００１２】
ケースの前壁に挿入口が露出するよう設けられていることで、記憶媒体を抜き差しする際、操作しにくくなることは少ない。
【００１３】
これにより、本発明は、操作のし易さを確保した上で、回路基板の被水を抑制する。
【００１４】
ここに開示された車両用媒体読み取り装置は、車両用媒体読み取り装置において、ケース（１）の内部の液体をケースの外部へと排出する液体排出部（１２１）と、ケースの前壁（１３）から操作可能な操作部（６）とを備え、操作部は、記憶媒体（１０）をケースの内部へと挿入させる挿入口と回路基板（２）の前壁側の縁（２６）との間に配置された縦壁部（２４）と、前壁に設けられた開口から露出する入力部（６２）と、回路基板とケースの天井壁との間に設けられ、入力部に対応して稼働する操作稼働部（６３）とを有し、縦壁部が、入力部から前後方向へ延ばした延長線と交差する位置まで延びている。
【００１５】
ここに開示された車両用媒体読み取り装置によると、縦壁部は、入力部から前後方向へ延ばした延長線と交差する位置まで延びている。前面に設けられた開口と入力部との隙間からケースの内部に水が侵入してきた場合、回路基板側への水の侵入を減らすことができる。入力部から侵入した液体は、液体排出部によってケースの外部へと排出される。
【００１６】
ケースの前壁に挿入口が露出するよう設けられていることで、記憶媒体を抜き差しする際、操作しにくくなることは少ない。
【００１７】
これにより、本発明は、操作のし易さを確保した上で、回路基板の被水を抑制する。
【００１８】
この明細書における開示された複数の態様は、それぞれの目的を達成するために、互いに異なる技術的手段を採用する。請求の範囲およびこの項に記載した括弧内の符号は、後述する実施形態の部分との対応関係を例示的に示すものであって、技術的範囲を限定することを意図するものではない。この明細書に開示される目的、特徴、および効果は、後続の詳細な説明、および添付の図面を参照することによってより明確になる。
【図面の簡単な説明】
【００１９】
【図１】実施形態に係るＥＴＣ車載器の分解斜視図である。
【図２】上ケースの斜視図である。
【図３】図５のＡ‐Ａ断面図である。
【図４】図５のＡ‐Ａ断面図である。
【図５】ＥＴＣ車載器の前面図である。
【図６】上ケースの拡大図である。
【図７】上ケースの平面図である。
【図８】図５のＢ‐Ｂ断面図である。
【図９】本体部および下ケースの前面図である。
【図１０】本体部および下ケースの斜視図である。
【図１１】イジェクトボタンの左側面図である。
【図１２】イジェクトボタンの平面図である。
【図１３】イジェクトボタンの平面図である。
【図１４】ＥＴＣ車載器の斜視図である。
【図１５】本体部の斜視図である。
【図１６】図５のＣ‐Ｃ断面図である。
【図１７】シートの斜視図である。
【図１８】ＥＴＣ車載器の前面図である。
【図１９】図１８のＨ‐Ｈ断面図である。
【図２０】図１８のＤ‐Ｄ断面の斜視図である。
【図２１】図１８のＥ‐Ｅ断面図である。
【図２２】操作キーの平面図である。
【図２３】下ケースの平面図である。
【図２４】下ケースの斜視図である。
【図２５】図２３のＦ‐Ｆ断面図である。
【図２６】図２３のＧ‐Ｇ断面図である。
【図２７】図２３のＪ‐Ｊ断面図である。
【図２８】後方排出部の斜視図である。
【発明を実施するための形態】
【００２０】
図面を参照しながら、複数の実施形態を説明する。複数の実施形態において、機能的におよび／または構造的に対応する部分および／または関連付けられる部分には同一の参照符号、または百以上の位が異なる参照符号が付される場合がある。対応する部分および／または関連付けられる部分については、他の実施形態の説明を参照することができる。
【００２１】
（第１実施形態）
以下、一実施形態について、図面を参照しつつ説明する。図１は、実施形態に係る車両用媒体読み取り装置として車両用ＥＴＣ車載器１００（以下、単にＥＴＣ車載器という）を示している。
【００２２】
ＥＴＣ車載器１００を例えばインパネ付近にネジ締結で固定されたブラケット４に装着することで、ＥＴＣ車載器１００を任意の部位に固定することができる。この場合、ＥＴＣカード１０の挿入性を考慮して、後述するカードの挿入口２０がいくらか上向きになるように固定するのが一般的である。ＥＴＣ車載器１００は、前上がり形態で固定される。いくらか上向きとは、例えば、傾斜角５°〜２３°である。
【００２３】
記憶媒体としてＥＴＣカード１０を用いているが、車両用媒体読み取り装置が読み取り可能な記憶媒体であればよい。例えば、ＥＴＣカード１０を含むＩＣカードやＣＤなどの記憶媒体を用いてもよい。このＥＴＣカード１０は、記憶媒体に相当する。
【００２４】
車両のインパネの内部にＥＴＣ車載器１００を配置するビルトインＥＴＣ車載器１００も存在する。インパネの内部に配置する場合もＥＴＣカード１０の挿入性を考慮して、後述するカードの挿入口２０がいくらか上向きになるよう配置するのが一般的である。
【００２５】
以降の記載において、前後、上下、左右の方向を用いてＥＴＣ車載器１００の構成を説明する。これらの方向は説明の便宜上用いているに過ぎず、ＥＴＣ車載器１００の使用や取り付けの方向などを限定するものではない。
【００２６】
ＥＴＣ車載器１００は、ケース１と、ケース１の内部に配置される本体部とを備えている。
【００２７】
（ケース）
ケース１について説明する。ケース１は上ケース１１と下ケース１２とを有する。ケース１は、扁平な六面体である。多くの場合、ケース１は、最も小さい側面を車室に臨むように配置される。
【００２８】
図１に示すように、下ケース１２は、主として前後左右方向に拡がる底壁１８と、底壁１８の左右両側に設けられた右側壁１６および左側壁１７とを有する。下ケース１２の上側は開口となっている。本体部は、本体部の下側から下ケース１２によって覆われる。
【００２９】
底壁１８は、後述する一対のブラケット位置決め穴４１を有する。ブラケット位置決め穴４１は、ＥＴＣ車載器１００をブラケット４に取付けるためのものである。ブラケット４は、ブラケットネジ穴４３を有する。ブラケット４は、ブラケットネジ穴４３とブラケット位置決め穴４１とがネジ４２で固定されることにより、底壁１８に取り付けられる。
【００３０】
図２に示すように、上ケース１１は、主として天井壁１５と、前壁１３と、後壁１４とを有する。天井壁１５は、前後左右方向に拡がる壁である。前壁１３は、操作キー６およびイジェクトボタン８が配置される開口と、ＥＴＣカード１０が挿入される挿入口２０とを有する。挿入口２０は、前壁１３に露出している。後壁１４は、回路基板２に設けられた各種コネクタの接続口を外部と連通するための複数の隙間を有する。上ケース１１の下側は開口となっている。本体部は、本体部の上側から上ケース１１によって覆われる。
【００３１】
上ケース１１は、上ケース１１に設けられた係止爪を下ケース１２に係止させる。上ケース１１は、下ケース１２と上下方向に重ねられることで下ケース１２に連結される。本体部は、上ケース１１と下ケース１２とが連結されたケース１の内部に収容される。
【００３２】
（本体部）
図１に戻り、本体部について説明する。本体部は、回路基板２、カードコネクタ３、レンズ５、操作キー６、イジェクトボタン８、シート９を含む部品を有する。部品は、組み付けた状態においては上下方向に関しては比較的薄く、前後左右方向に関しては大きく拡がる形状となっている。
【００３３】
回路基板２は、プリント配線基板と、プリント配線によって電気的に接続されてなる複数の電子部品とを有する。回路基板２は、ＥＴＣカード１０のチップの接点部と電気的に接続される接続端子を有する。回路基板２は、接続端子とチップの接点部とを接続させることでＥＴＣカード１０の情報を読み出す。回路基板２は、後部に設けられたコネクタを介して図示しないアンテナに接続される。回路基板２は、アンテナを介して図示しないＥＴＣ路上装置と通信する。
【００３４】
カードコネクタ３は、ＥＴＣカード１０より僅かに大きい略矩形の筒形状のカードホルダである。ＥＴＣカード１０は、カードコネクタ３に挿入される。カードコネクタ３は、回路基板２と後述する下ケース１２との間に配置される。
【００３５】
カードコネクタ３は、ＥＴＣカード１０を収容するための空間を内部に有する。カードコネクタ３は、前方にＥＴＣカード１０を挿入するための開口部３１を有する。カードコネクタ３は、ＥＴＣカード１０を保護するため金属とエンジニアリングプラスチックとから形成される。カードコネクタ３の上面は、開口を有する。カードコネクタ３は、回路基板２に固定された場合、回路基板２の裏面に開口面積分の回路部品を実装可能とする。カードコネクタ３の側方にはイジェクトボタン８が取り付けられる。
【００３６】
イジェクトボタン８は、カードコネクタ３に収容されたＥＴＣカード１０をユーザが取り出すための操作部品である。イジェクトボタン８は、前壁１３に設けられた開口に挿入されている。イジェクトボタン８の頭部は、開口から露出されている。イジェクトボタン８は、記憶媒体排出ボタンに相当する。
【００３７】
操作キー６は、本体部の機能をユーザが操作するための操作部品である。操作キー６は、回路基板２と上ケース１１との間に配置されている。操作キー６は、前壁１３に設けられた開口に挿入されている。操作キー６の一部は、開口から露出されている。操作キー６は、操作部に相当する。
【００３８】
イジェクトボタン８は、カードコネクタ３によって所定の範囲で変位可能に保持されている。操作キー６は、ケース１によって所定の範囲で変位可能に保持されている。
【００３９】
レンズ５は、ＥＴＣ車載器１００の動作状態やＥＴＣカード１０が挿入されているか否か等を示す発光部品である。レンズ５は、回路基板２上に搭載された光源からの光を前壁１３へと透過させるために回路基板２から前壁１３にわたって配置されている。
【００４０】
（上ケース）
図２に示すように、前壁１３は、ＥＴＣカード１０の一部を露出させるための凹部２１を有する。
【００４１】
図３は、図５のＡ‐Ａ断面図である。凹部２１は、前壁１３から後壁１４へと向かう方向に凹んでいる。凹部２１により、ＥＴＣカード１０のチップの接点部と回路基板２の接続端子とが接触する位置にまでＥＴＣカード１０をカードコネクタ３へと押し込むことができる。
【００４２】
図４は、図５のＡ‐Ａ断面図である。挿入口２０から挿入されたＥＴＣカード１０は、凹部２１においてのみ挿入口２０から露出される。
【００４３】
図５に示すように、凹部２１は、挿入口２０の幅方向の中央部２０ｃに設けられている。凹部２１は、挿入口２０の一部であれば任意の位置に設けることができる。例えば、右側壁１６側の挿入口２０の端部２０ａや左側壁１７側の挿入口２０の端部２０ｂに設けてもよい。中央部２０ｃに凹部２１を設けることで、ＥＴＣカード１０の挿入の際、ＥＴＣカード１０に加わる力を左右均等に分布させることができる。これにより、ＥＴＣカード１０が曲がることでＥＴＣカード１０が傷つくことを抑えることができる。
【００４４】
図６に示すように、上ケース１１は、侵入口２２を有する。侵入口２２は、挿入口２０の上部に設けられている。侵入口２２は、インパネ表面に伝わる水をケース１の内部へと侵入させる。侵入口２２は、凹部２１に向けて流れてきた水が挿入口２０に届く前に、凹部２１に向けて流れてきた水をケース１の内部へと侵入させる。侵入口２２は、上ケース１１の上下方向にケース１の内部へと連通する連通穴２２ａを有する。
【００４５】
連通穴２２ａの上面は、略矩形を成している。連通穴２２ａの左右方向の側面は、連通穴２２ａの上面から下面へと向かうにつれて、中央部２０ｃへと向かう傾斜が形成されている。連通穴２２ａは、後述する庇部２４ａよりも底壁１８側に延びて形成されている。
【００４６】
連通穴２２ａは、左右方向に所定の間隔で連通穴２２ａを仕切る仕切り部２２ｂを有する。仕切り部２２ｂは、連通穴２２ａに複数設けられている。仕切り部２２ｂは、連通穴２２ａの上面を基点に下面へと向かうにつれて、左右両側に向かい傾斜が形成される三角形状を成している。仕切り部２２ｂを設けることで、前壁１３に前後方向の力が加えられたとしても侵入口２２が破損する可能性を低くできる。
【００４７】
図７に示すように、侵入口２２は、前壁１３側の天井壁１５の一端に設けられている。
【００４８】
図５に戻り、侵入口２２は、上ケース１１の左右方向に延びて形成されている。侵入口２２は、侵入口の左右方向の長さが、凹部２１の左右方向の長さよりも長くなるように形成されている。
【００４９】
インパネ表面に伝わる水および前壁１３へと飛散した水をケース１の内部へと侵入させるために、侵入口２２は、前壁１３と天井壁１５との角部に設けられている。
【００５０】
侵入口２２は、天井壁１５と平行な開口である。侵入口２２は、上方向を指向している。侵入口２２は、前壁１３に沿って延びている。侵入口２２は、天井壁１５から、前壁１３へ突出するように位置づけられている。侵入口２２は、やや受け口となっている。
【００５１】
（内部構造）
図８は、図５のＢ‐Ｂ断面図である。本体部は、案内部２３を有する。案内部２３は、侵入口２２の下部に配置されている。案内部２３は、縦壁部２４と傾斜部２５とを有する。縦壁部２４は、侵入口２２と回路基板２の前壁１３側の縁２６との間に設けられている。傾斜部２５は、ケース１の側壁に向かって水を流すように形成されている。
【００５２】
図９に示すように、案内部２３は、操作キー６と、レンズ５とを有する。操作キー６とレンズ５とにより、傾斜部２５と縦壁部２４とが形成されている。操作キー６とレンズ５とが結合した案内部２３は、ケース１に組み付けることで、ケース１の前後左右方向から締め付けられる。ケース１により案内部２３が締め付けられることで、操作キー６とレンズ５との隙間を生じさせにくくできる。
【００５３】
レンズ５は、光源からの光を前壁１３へと透過させるために、前壁１３に縦方向に露出する露出部５１を有する。レンズ５は、露出部５１を２つ有している。
【００５４】
図８に戻り、縦壁部２４は、侵入口２２から侵入させた水が、上ケース１１の内部で跳ね返ることで、回路基板２側に飛散することを防止するために、庇部２４ａを有する。庇部２４ａは、縦壁部２４の上部に設けられている。庇部２４ａは、縦壁部２４の上部から連通穴２２ａを区画する壁へと延びている。前述したように、連通穴２２ａは、庇部２４ａよりも底壁１８側に延びて形成されている。
【００５５】
図１０に示すように、縦壁部２４は、庇部２４ａの左右方向の両端に、ケース１の側壁と平行な左右縦壁部２４ｂを有する。庇部２４ａおよび左右縦壁部２４ｂは、２つの露出部５１との間に設けられる。
【００５６】
図９に戻り、縦壁部２４の左右方向の長さは、傾斜部２５の左右方向の長さよりも長い。縦壁部２４の左右方向の端部は、回路基板２の左右方向の端部付近まで延びている。回路基板２の左右方向の端部付近とは、回路基板２が有しているＥＴＣ車載器１００の機能を果たす複数の電子部品が存在する中央の領域よりも側壁側の領域を示している。
【００５７】
傾斜部２５は、侵入口２２から侵入させた水が、ケース１の側壁へと流れていくように傾斜している。
【００５８】
案内部２３と底壁１８との間にカードコネクタ３が配置されている。傾斜部２５によって流される水は、カードコネクタ３の上面を通り、ケース１の側壁へと流される。
【００５９】
縦壁部２４と、庇部２４ａと、左右縦壁部２４ｂと、前壁１３との間に空間が設けられている。侵入口２２から侵入する水の量が多い場合、空間に水が溜まる場合がある。空間に水が溜まることで、水を一定量ずつケース１の側壁に流しやすくなる。水を一定量ずつケース１の側壁に流すことで、水の勢いを抑えることができる。水の勢いを抑えることで、後述する液体排出部１２１から水が排出されやすくなる。
【００６０】
案内部２３により、ケース１の側壁へと流れた水を下ケース１２へと流すため、案内部２３の両端部の延長上に空洞が設けられている。空洞は、右側壁１６側の案内部２３の端部２３ａの延長上に存在する右空洞２７ａと、左側壁１７側の案内部２３の端部２３ｂの延長上に存在する左空洞２７ｂとを有する。
【００６１】
右空洞２７ａは、右側壁１６側のカードコネクタ３の側面３３と、前壁１３と、縦壁部２４と、右側壁１６とにより区画されている。これにより、右側壁１６側へと流れた水が回路基板２にかかることを抑えつつ、水を下ケース１２へと流すこととなる。
【００６２】
左空洞２７ｂは、左側壁１７側のカードコネクタ３の側面３４と、前壁１３と、縦壁部２４と、左側壁１７とにより区画されている。
【００６３】
端部２３ｂの延長上にイジェクトボタン８が配置されている。つまり左空洞２７ｂには、イジェクトボタン８が配置されている。このため、左空洞２７ｂを区画する縦壁部２４は、右空洞２７ａを区画する縦壁部２４と比べ、イジェクトボタン８を配置する領域だけ回路基板２を覆う領域が小さく構成される。
【００６４】
図１１に示すように、イジェクトボタン８は、ユーザの操作をカードコネクタ３へと伝達する操作伝達部８１と、イジェクトボタン８の操作面を発光させる発光部８２とを有している。イジェクトボタン８は、前壁１３から前後方向へと延びるボタンである。イジェクトボタン８の後部は、回路基板２の下部に設けられている。イジェクトボタン８は、イジェクトボタン８の後部から縁２６よりも前壁１３側に延びて構成されている。発光部８２は、操作伝達部８１の後部からユーザが操作する操作伝達部８１の操作面へ突出するように位置づけられている。操作伝達部８１は、ボタン操作部に相当する。
【００６５】
図１２に示すように、イジェクトボタン８は、端面２３ｃから左右方向へ延ばした延長線と交差する交差部８３を有する。交差部８３は、上部から下部へと貫通している。端面２３ｃは、傾斜部２５の端部２３ｂに設けられた端面である。
【００６６】
図１３に示すように、交差部８３は、排出用縦壁部８４ａと排出用縦壁部８４ｂと排出用縦壁部８４ｃとにより区画されている。排出用縦壁部８４ａは、縁２６側に設けられた縦壁である。排出用縦壁部８４ｂは、イジェクトボタン８の操作面の裏側に設けられた縦壁である。排出用縦壁部８４ｃは、端面２３ｃ側に設けられた縦壁である。
【００６７】
交差部８３は、左側壁１７側に排出用縦壁部が設けられてない。左側壁１７へと流れた水が、左側壁１７側に設けられた排出用縦壁部に被水する。排出用縦壁部に被水した水が、排出用縦壁部を伝うことで回路基板２側へ侵入するおそれがある。交差部８３は、左側壁１７側に排出用縦壁部を設けないことで、回路基板２側への水の侵入を少なくしている。左側壁１７側へと流れた水は、回路基板２にかかることを回避しながら、下ケース１２へと流れる。
【００６８】
図１１に戻り、排出用縦壁部８４ａは、回路基板２の下部、かつ、縁２６よりも後方に配置されている。排出用縦壁部８４ａにより、回路基板２の下面側への水の侵入を少なくすることができる。
【００６９】
図１４に示すように、イジェクトボタン８は、前壁１３に設けられた開口に配置されている。イジェクトボタン８と開口との間にはボタン隙間８５が存在する。よって、インパネ表面に伝わる水および前壁１３へと飛散した水がボタン隙間８５からケース１の内部へと侵入するおそれがある。
【００７０】
図１５に示すように、ボタン隙間８５からケース１の内部に侵入してきた水は、交差部８３を通り、下ケース１２へと流れる。下ケース１２へと流れる際、排出用縦壁部８４ａにより、回路基板２の下部へと水が侵入することを抑えることができる。よって、ボタン隙間８５からの水の侵入に対しても、回路基板２への水の侵入を抑えることができる。
【００７１】
（シート）
図１６は、図５のＣ‐Ｃ断面図である。シート９は、挿入口２０を覆うように上ケース１１の内側面に固定されている。シート９は可撓性を有しており、例えばフェルトなどの化学繊維またはビニールなどの樹脂が用いられている。上ケース１１の内部に固定するために、シート９の一端には接着部材９１が設けられている。接着部材とは、例えば両面テープやボンドである。挿入口２０が上向きになるようにＥＴＣ車載器１００が固定される可能性がある。シート９は、ＥＴＣ車載器１００の設置角度が変化したとしてもシート９が重力では撓むことのない可撓性を有していることが好ましい。また、ＥＴＣカード１０を挿抜する際、挿抜性が悪化しないように、シート９の抵抗を感じさせにくい可撓性を有していることが好ましい。
【００７２】
シート９は、接着部分を基点として撓む。ＥＴＣカード１０が挿入されていない場合、挿入口２０がシート９で覆われる。シート９により、インパネ表面から流れてきた水および前壁１３へと飛散した水が挿入口２０からケース１の内部へと侵入することを減らすことができる。
【００７３】
前壁１３は、挿入口２０の下端２０ｄから底壁１８側、かつ、後壁１４と反対側に向かって傾斜を成している。シート９に接触した水は、前壁１３の傾斜を伝わり、ケース１の外部へと流れる。
【００７４】
シート９を設けることで、カードコネクタ３の開口部３１に光が入ることを防ぐことができる。これにより、カードコネクタ３の金属とエンジニアリングプラスチックとに光が反射することで、ＥＴＣ車載器１００の見栄えが悪化することを防ぐことができる。
【００７５】
シート９を設けることで、挿入口２０から塵や埃がケース１の内部へ侵入することを抑制できる。
【００７６】
図１７に示すように、シート９は、凹部２１に沿うように内側面に固定される。シート９は、曲線部９ａと直線部９ｂとを有している。曲線部９ａは、凹部２１に沿うように湾曲形状を成している。曲線部９ａは、中央部２０ｃを覆う。直線部９ｂは、端部２０ａと端部２０ｂとを覆う。
【００７７】
図１６に戻り、上ケース１１は、水を下ケース１２へと侵入させるシート下侵入口９５を有す。シート下侵入口９５は、シート９が固定されている一端である固定端９３と反対の他端である自由端９４の対向位置、かつ、直線部９ｂが存在する位置に設けられている。シート下侵入口９５の前壁１３側の縁は、自由端９４よりも前壁１３側に設けられている。シート下侵入口９５を設けることで、自由端９４と上ケース１１との隙間からケース１の内部へと侵入した水は、下ケース１２へと流される。
【００７８】
挿入口２０へと侵入する水は、シート９により水の流れ方向が整流される。挿入口２０へと侵入する水は、シート９により水の勢いが弱められる。シート下侵入口９５へと侵入した水は、上ケース１１の内側面を伝い下ケース１２へと流れやすくなる。
【００７９】
図１７に示すように、シート９は、凹部２１に対応して形成されたスリット９２を有する。スリット９２は、曲線部９ａと直線部９ｂとの境目の２箇所に設けられる。
【００８０】
図１８に示すように、直線部９ｂは、ＥＴＣカード１０を挿入口２０へと挿入した際、ＥＴＣカード１０の前壁１３側の端面１０ａよりも前壁１３側に位置する。これにより、端部２０ａと端部２０ｂとからケース１の内部への水の侵入を減らすことができる。
【００８１】
図１９は、図１８のＨ‐Ｈ断面図である。曲線部９ａは、ＥＴＣカード１０を挿入口２０へと挿入した際、端面１０ａよりも後壁１４側に位置する。曲線部９ａは、ＥＴＣカード１０を挿入口２０へと挿入した際、ＥＴＣカード１０の上面で上ケース１１の後壁１４方向に曲がった状態となる。曲線部９ａは、ＥＴＣカード１０の上面で曲がった状態からＥＴＣカード１０を挿入していない状態へと戻ろうとする力が働くことで、ＥＴＣカード１０の上面に接触した状態で曲げられる。
【００８２】
スリット９２を設けない場合、ＥＴＣカード１０を挿入口２０へと挿入した際、シート９の曲線部９ａが曲がった状態となる。曲線部９ａが曲げられることで曲線部９ａと繋がった直線部９ｂも曲がった状態となる。直線部９ｂは、ＥＴＣカード１０の上面で上ケース１１の後壁１４方向に曲がった状態となる。
【００８３】
スリット９２を設けることで、直線部９ｂは、ＥＴＣカード１０の挿入の有無に関わらず、端面１０ａよりも前壁１３側に存在する。直線部９ｂにより、挿入口２０からケース１の内部への水の侵入を減らすことができる。
【００８４】
曲線部９ａは、ＥＴＣカード１０が挿入されていない場合、中央部２０ｃを覆う。曲線部９ａにより、挿入口２０からケース１の内部への水の侵入減らすことができる。
【００８５】
ＥＴＣカード１０が挿入されている場合、水がＥＴＣカード１０の上面を伝い、ケース１の内部へと侵入するおそれがある。曲線部９ａと直線部９ｂとの境目には、スリット９２が設けられることでスリット隙間が生じる。スリット隙間からケース１の内部へと水が侵入するおそれがある。
【００８６】
曲線部９ａに関しては、ＥＴＣカード１０が挿入されている場合、水の侵入のおそれがある。スリット隙間に関しては、ＥＴＣカード１０の挿入の有無に関わらず、水の侵入のおそれがある。
【００８７】
上記侵入口２２を曲線部９ａの上部に設けることで、曲線部９ａから水が侵入する前に、侵入口２２から水をケース１の内部に入れてしまう。これにより、曲線部９ａからの水の侵入を減らすことができる。
【００８８】
（操作キー）
図２０は、図１８のＤ‐Ｄ断面の斜視図である。操作キー６は、前壁１３に設けられた開口に配置されている。操作キー６と開口との間には操作キー隙間６１が存在する。よって、インパネ表面に伝わる水および前壁１３へと飛散した水が操作キー隙間６１からケース１の内部へと侵入するおそれがある。
【００８９】
操作キー６は、入力部６２と、操作稼働部６３と、操作キー空洞６４とを有する。ユーザが操作する入力部６２の操作面は、前壁１３から露出されている。操作稼働部６３は、回路基板２と上ケース１１の天井壁１５との間に設けられている。操作稼働部６３は、入力部６２に対応して稼働する。操作キー空洞６４は、案内部２３の端部の延長上に位置している。縦壁部２４は、入力部６２から前後方向へ延ばした延長線と交差する位置まで延びている。
【００９０】
入力部６２と、操作稼働部６３と、縦壁部２４とは一体成形されている。
【００９１】
操作キー隙間６１からケース１の内部へと侵入した水は、操作キー空洞６４を通り、下ケース１２へと流れる。縦壁部２４により、回路基板２側への水の侵入を減らすことができる。
【００９２】
図２１は、図１８のＥ‐Ｅ断面図である。操作稼働部６３は、バネ部６３ａと、押し部６３ｂと、伝達部６３ｃとを有する。
【００９３】
バネ部６３ａは、樹脂で構成されている。バネ部６３ａは、入力部６２からの入力により弾性変形する。バネ部６３ａは、入力部６２と縦壁部２４との間に配置されている。バネ部６３ａは、縦壁部２４に近い部分ほど太くなるようテーパ形状を成している。バネ部６３ａは、入力部６２と、入力部６２の操作面よりも下方側の縦壁部２４の表面とが接続するように傾斜を成している。操作キー隙間６１からケース１の内部へと侵入した水は、バネ部６３ａに伝わり、下ケース１２へと流れる。
【００９４】
伝達部６３ｃは、入力部６２から前後方向に延びて構成される。伝達部６３ｃは、入力部６２の操作面と直交する方向への押圧力を押し部６３ｂへと伝える。
【００９５】
押し部６３ｂは、回路基板２の上面に設けられたタクトスイッチ６５と、タクトスイッチ６５の上部に存在する伝達部６３ｃとの間に配置されている。押し部６３ｂは、伝達部６３ｃと接続されている。
【００９６】
バネ部６３ａは、ユーザ操作に応じて入力部６２が入力部６２の操作面と直交する方向への押圧力を受けると弾性変形する。押し部６３ｂは、縦壁部２４と回路基板２の端面２８との接点を基点として、伝達部６３ｃにより押圧力が伝えられる。押し部６３ｂは、回路基板２の上面と直交する方向に変位する。タクトスイッチ６５の可動部は、押し部６３ｂが回路基板２の上面と直交する方向に変位することで、押し部６３ｂによって押される。
【００９７】
バネ部６３ａは、入力部６２が押圧力を受けなくなると、弾性変形した状態から復元する。押し部６３ｂは元の位置に戻り、タクトスイッチ６５の可動部から離れる。
【００９８】
図２２に示すように、伝達部６３ｃは、縦壁部２４の左右方向の端部より外側を通り、押し部６３ｂへと繋がっている。入力部６２の操作面と直交する方向への押圧力が押し部６３ｂに伝わりやすくするために、伝達部６３ｃは、左側伝達部６３ｃａと、右側伝達部６３ｃｂとを有する。左側伝達部６３ｃａは、入力部６２と押し部６３ｂとを縦壁部２４の左側壁１７側から接続している。右側伝達部６３ｃｂは、入力部６２と押し部６３ｂとを縦壁部２４の右側壁１６側から接続している。
【００９９】
右側伝達部６３ｃｂは、左側伝達部６３ｃａと比べ、入力部６２と押し部６３ｂとの接続距離が短い。入力部６２から押し部６３ｂまでの距離が短いことで、押圧力が押し部６３ｂに伝わりやすくする。右側伝達部６３ｃｂと左側伝達部６３ｃａとのように、押圧力を伝える部材を複数設けることで、押圧力が押し部６３ｂに伝わりやすくする。これにより、ユーザによる操作キー６の操作を容易にすることができる。
【０１００】
（下ケース）
図２３に示すように、下ケース１２は、液体排出部１２１を有する。液体排出部１２１は、底壁１８に設けられている。液体排出部１２１は、ケース１の内部に侵入した水をケース１の外部へと排出する。液体排出部１２１は、下ケース１２の前後方向に離れて設けられた前方排出部１２１ａと、後方排出部１２１ｂとを有する。
【０１０１】
後方排出部１２１ｂは、左右方向の中央に拡がっている。前方排出部１２１ａは、後方排出部１２１ｂよりも左右方向に延びて形成されている。
【０１０２】
下ケース１２は、前方排出部１２１ａと後方排出部１２１ｂとの間、かつ、下ケース１２の左右の両側壁に設けられたブラケット位置決め穴４１を有する。
【０１０３】
下ケース１２は、左右仕切り壁部１２２と中央仕切り壁部１２３とを有する。
【０１０４】
左右仕切り壁部１２２は、底壁１８、かつ、ブラケット位置決め穴４１と後方排出部１２１ｂとの間に設けられている。左右仕切り壁部１２２は、左右の側壁から後方排出部１２１ｂへと向かう方向に延びる仕切りである。左右仕切り壁部１２２は、右側壁１６と左側壁１７とに設けられている。
【０１０５】
中央仕切り壁部１２３は、左右仕切り壁部１２２と後方排出部１２１ｂとの間、かつ、左右の側壁に存在する左右仕切り壁部１２２の間に設けられている。中央仕切り壁部１２３は、右側壁１６側の端部１２３ａと、左側壁１７側の端部１２３ｂとを有する。
【０１０６】
端部１２３ａは、右側壁１６側に配置される左右仕切り壁部１２２の中央仕切り壁部１２３側へ延びる端部１２２ａよりも右側壁１６側に位置している。端部１２３ｂは、左側壁１７側に配置される左右仕切り壁部１２２の中央仕切り壁部１２３側へ延びる端部１２２ｂよりも左側壁１７側に位置している。左右仕切り壁部１２２と中央仕切り壁部１２３とは、迷路構造を成すように設けられている。迷路構造とすることで、後方排出部１２１ｂから塵や埃がケース１の内部へと侵入したとしても、塵や埃が下ケースの中央へと移動することを抑制する。
【０１０７】
端部１２３ａと端部１２３ｂとは、後方排出部１２１ｂの前方側の縁１２１ｃよりも後方に位置している。中央仕切り壁部１２３の後面１２３ｄは、縁１２１ｃよりも前方に位置している。
【０１０８】
図２４に示すように、中央仕切り壁部１２３は、前面１２３ｃの中央部分から端部１２３ａおよび端部１２３ｂに向かって傾斜を成している。
【０１０９】
図２５は、図２３のＦ‐Ｆ断面図である。左右仕切り壁部１２２は、左右仕切り庇部１２４を有する。左右仕切り庇部１２４は、左右仕切り壁部１２２の上端設けられている。左右仕切り庇部１２４は、左右仕切り壁部１２２の上端から前壁１３側に向かって延びている。左右仕切り庇部１２４により、前壁１３から後壁１４へと流れる水が、左右仕切り壁部１２２を乗り超えることを抑制する。前壁１３から後壁１４へと流れる水は、左右仕切り庇部１２４により、左右仕切り壁部１２２を乗り超えることを回避しながら、後壁１４へと流れる。
【０１１０】
図２６は、図２３のＧ‐Ｇ断面図である。中央仕切り壁部１２３は、中央仕切り庇部１２５を有する。中央仕切り庇部１２５は、中央仕切り壁部１２３の上端設けられている。中央仕切り庇部１２５は、中央仕切り壁部１２３の上端ぁら前壁１３側に向かって延びている。中央仕切り庇部１２５により、前壁１３から後壁１４へと流れる水が、中央仕切り壁部１２３を乗り超えることを抑制する。前壁１３から後壁１４へと流れる水は、中央仕切り庇部１２５により、中央仕切り壁部１２３を乗り超えることを回避しながら、後壁１４へと流れる。
【０１１１】
図２７は、図２３のＪ‐Ｊ断面図である。前方排出部１２１ａは、下ケース１２の前方から後方に向かう方向に斜めの貫通穴１２６を有する。貫通穴１２６は、前方から後方に向かうにつれて上から下に下がり、傾斜を成している。貫通穴１２６の入り口と出口との位置が前後方向にずれて設けられている。これにより、外部から侵入する塵や埃を減らすことができる。
【０１１２】
貫通穴１２６が傾斜を成すことで、貫通穴１２６の傾斜に沿って水がケース１の外部へと排出される。これにより、水の排出を効率よく行うことができる。
【０１１３】
図２８に示すように、後方排出部１２１ｂは、外部へと水を排出する排出穴１２７と、排出穴１２７の貫通方向を偏向させる偏向部材１２８とを有する。排出穴１２７は、底壁１８を上下方向に貫通するように形成されている。
【０１１４】
偏向部材１２８は、偏向壁１２８ａと偏向縦壁部１２８ｂとを有する。偏向壁１２８ａは、排出穴１２７より上部に位置する。偏向壁１２８ａは、排出穴１２７の貫通方向に対して対向するように位置づけられている。偏向壁１２８ａは、排出穴１２７の前後左右の大きさとほぼ等しい大きさの壁である。
【０１１５】
偏向縦壁部１２８ｂは、ケース１の後壁１４と平行に設けられる。偏向縦壁部１２８ｂは、偏向壁１２８ａと下ケース１２の底壁１８とを接続させる。排出穴１２７は、偏向壁１２８ａと偏向縦壁部１２８ｂとにより、左右方向から流れてきた水をケース１の外部へと排出させる。
【０１１６】
偏向壁１２８ａは、排出穴１２７の前後左右の大きさよりも小さい場合、排出穴１２７から下ケース１２内へと侵入する塵や埃の侵入方向が偏向されないおそれがある。塵や埃の侵入方向が偏向されることなく、下ケース１２へ侵入してしまうおそれがある。そのため、偏向壁１２８ａは、侵入方向を偏向させることができるように、排出穴１２７の前後左右の大きさとほぼ等しい大きさまたは排出穴１２７の前後左右の大きさよりも大きいことが望ましい。
【０１１７】
以上に述べた実施形態によると、挿入口２０の上部に水をケース１の内部へと侵入させる侵入口２２を設けることで、挿入口２０から侵入する水を減らすことができる。挿入口２０から侵入する水を減らすことで、挿入口２０から侵入する水によって回路基板２が被水することを抑制する。
【０１１８】
侵入口２２の下部に、案内部２３が配置されている。案内部２３は、縦壁部２４と傾斜部２５とを有する。縦壁部２４は、侵入口２２と縁２６との間に設けられている。傾斜部２５は、ケース１の側壁に向かって水を流すように形成されている。侵入口２２から侵入した水が、縦壁部２４により回路基板２側に侵入することを防ぐこととなる。
【０１１９】
傾斜部２５はケース１の側壁に向かう方向に傾斜している。縦壁部２４の左右方向の端部は、回路基板２の左右方向の端部付近まで延びている。縦壁部２４と傾斜部２５とにより、侵入口２２から侵入した水は、回路基板２にかかることを回避しながら、ケース１の側壁に向かって流れる。ケース１の側壁に向かって流れる水は、案内部２３の両端部の延長上に設けられた空洞を通り、下ケース１２へと流れる。下ケース１２へと流れる水は、液体排出部１２１によってケースの外部へと排出される。
【０１２０】
前壁１３に挿入口２０が露出するように設けられていることで、記憶媒体を抜き差しする際、操作しにくくなることは少ない。
【０１２１】
これにより、本発明は、操作のし易さを確保した上で、回路基板２が被水することを抑制する。
【０１２２】
また、本実施形態によると、侵入口２２を曲線部９ａの上部に設けることで、曲線部９ａに水が侵入する前に、侵入口２２から水をケース１の内部に入れてしまう。これにより、曲線部９ａからの水の侵入を減らすことができる。
【０１２３】
また、本実施形態によると、挿入口２０の内側にシート９を設ける。ＥＴＣカード１０の挿入されていない場合、インパネ表面から流れてきた水および前壁１３へと飛散した水が挿入口２０からケース１の内部へと侵入することを減らすことができる。
【０１２４】
また、本実施形態によると、シート９にスリット９２を設ける。直線部９ｂは、ＥＴＣカード１０の挿入の有無に関わらず、挿入口２０からケース１の内部への水の侵入を減らすことができる。
【０１２５】
また、本実施形態によると、縦壁部２４は、入力部６２から前後方向へ延ばした延長線と交差する位置まで延びている。操作キー隙間６１からケース１の内部に水が侵入してきた場合、回路基板２側への水の侵入を減らすことができる。
【０１２６】
さらに、操作キー６は、縦壁部２４と、入力部６２と、操作稼働部６３とを有する。バネ部６３ａは、入力部６２と縦壁部２４との間に配置されている。バネ部６３ａは、ユーザ操作に応じて入力部６２が入力部６２の操作面と直交する方向への押圧力を受けると弾性変形する。押し部６３ｂは、縦壁部２４と回路基板２の端面２８との接点を基点として、伝達部６３ｃにより押圧力が伝えられる。押し部６３ｂは、回路基板２の上面と直交する方向に変位する。タクトスイッチ６５の可動部は、押し部６３ｂが回路基板２の上面と直交する方向に変位することで、押し部６３ｂによって押される。これにより、操作キー６は縦壁部２４を有することで、縦壁部２４による回路基板２の被水対策を行いつつ、操作キー６の従来の挙動であるタクトスイッチ６５の可動部を押す動作を得ることができる。
【０１２７】
（他の実施形態）
この明細書における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、請求の範囲の記載によって示され、さらに請求の範囲の記載と均等の意味及び範囲内での全ての変更を含むものと解されるべきである。
【０１２８】
上記実施形態では、侵入口２２は前壁１３と天井壁１５との角部に設けられている。これに代えて、侵入口２２は、案内部２３よりも前壁１３側であればどこに設けてもよい。例えば、侵入口２２は、角部から５ｍｍ後壁１４側に設けてもよい。
【０１２９】
上記実施形態では、スリット９２をシート９の曲線部９ａと直線部９ｂとの境目の２箇所に設けている。これに代えて、ＥＴＣカード１０を挿入口２０へと挿入した際に、端面１０ａよりも前壁１３側に位置するシート９であればどこに設けてもよい。端面１０ａに近い位置にスリット９２を設けるほど、ＥＴＣカード１０を挿入口２０へと挿入した際に、シート９がＥＴＣカード１０を覆うことのできる領域が増えるため、水を挿入口２０へと侵入させにくくすることができる。
【０１３０】
上記実施形態では、スリット９２を曲線部９ａと、直線部９ｂとの境目の２箇所に設けている。これに代えて、どちらか１箇所のみでもよい。また、複数のスリット９２を設けてもよい。
【符号の説明】
【０１３１】
１：ケース、  １０：記憶媒体、  １２１：液体排出部、  １２１ａ：前方排出部、  １２１ｂ：後方排出部、  １３：前壁、  １４：後壁、  １５：天井壁、  １８：底壁、  ２：回路基板、  ２０：挿入口、  ２１：凹部、  ２２：侵入口、  ２３：案内部、  ２３ａ、２３ｂ：端部、  ２３ｃ：端面、  ２４：縦壁部、  ２５：傾斜部、  ２６：縁、  ２７ａ、２７ｂ：空洞、  ５：レンズ、  ６：操作部、  ６２：入力部、  ６３：操作稼働部、  ８：記憶媒体排出ボタン、  ８１：ボタン操作部、  ８３：交差部、  ８４ａ、８４ｂ、８４ｃ：排出用縦壁部、  ９：シート、  ９２：スリット、  ９３：固定端、  ９４：自由端、  ９５：シート下侵入口。
【図１】
2018184143.tif 000003
【図２】
2018184143.tif 000004
【図３】
2018184143.tif 000005
【図４】
2018184143.tif 000006
【図５】
2018184143.tif 000007
【図６】
2018184143.tif 000008
【図７】
2018184143.tif 000009
【図８】
2018184143.tif 000010
【図９】
2018184143.tif 000011
【図１０】
2018184143.tif 000012
【図１１】
2018184143.tif 000013
【図１２】
2018184143.tif 000014
【図１３】
2018184143.tif 000015
【図１４】
2018184143.tif 000016
【図１５】
2018184143.tif 000017
【図１６】
2018184143.tif 000018
【図１７】
2018184143.tif 000019
【図１８】
2018184143.tif 000020
【図１９】
2018184143.tif 000021
【図２０】
2018184143.tif 000022
【図２１】
2018184143.tif 000023
【図２２】
2018184143.tif 000024
【図２３】
2018184143.tif 000025
【図２４】
2018184143.tif 000026
【図２５】
2018184143.tif 000027
【図２６】
2018184143.tif 000028
【図２７】
2018184143.tif 000029
【図２８】
2018184143.tif 000030